(57)【要約】【課題】  ユニバーサル組立に支持されたソケットに、光源を適正かつ容易に取付けることが可能な照明器具を提供する。【解決手段】  照明器具１は、器具本体２と、ソケット１１と、光源１５と、ユニバーサル組立５を具備する。一端が開口された器具本体２内にソケット１１を配設し、このソケットに光源１５を回転操作により着脱可能に支持する。ユニバーサル組立５は、ソケット１１を支持するソケットホルダ８、及び操作部６ｅを有していて、器具本体２内に配設される。ソケットホルダ８は、光源１５の向きが調節される際に、器具本体２の中心軸線Ａ回りに回転可能でかつ中心軸線Ａに斜めに交差するように傾くことが可能である。操作部６ｅは器具本体２の外部から操作可能であり、ソケット１１に光源１５を取付ける際にソケットホルダ８が動かないように操作部６ｅで拘束可能としたことを特徴としている。【選択図】図３
2012124058.tif 000002
【特許請求の範囲】
【請求項１】
一端が開口された器具本体と；
この器具本体内に配設されたソケットと；
このソケットに回転操作により着脱可能に支持された光源と；
前記器具本体内に配設され、前記器具本体の外部から操作可能な操作部、及び前記ソケットを支持して前記器具本体の中心軸線回りに回転可能でかつ前記中心軸線に斜めに交差するように傾くことが可能なソケットホルダを有し、前記光源の向きが調節される際に可動するユニバーサル組立と；
を具備することを特徴とする照明器具。
【請求項２】
前記ユニバーサル組立が、前記器具本体に支持されて前記中心軸線回りに回転可能な回転部材と、この回転部材が有する一対のアームに前記中心軸線に斜めに交差するように傾くことが可能に支持された前記ソケットホルダとを有していて、前記一対のアームのうちの少なくとも一方の先端部が、前記操作部として前記器具本体の開口より外部に突出されていることを特徴とする請求項１に記載の照明器具。
【発明の詳細な説明】
【技術分野】
【０００１】
本発明の実施形態は、照射方向を調節可能な照明器具に関する。
【背景技術】
【０００２】
照射方向を自由に変更させるために、ユニバーサル組立を備えた照明装置が、従来技術として知られている。
【０００３】
この照明装置のユニバーサル組立は、第１の軸によって灯体（光源）を回動自在に保持し、この灯体の回動方向とは直交する方向に第１の保持部材を第２の軸によって固定部材に回動自在に保持して構成されている。
【０００４】
ところで、光源はソケットに着脱可能に支持され、この光源の着脱に際しては光源が回転操作されることが一般的である。このことを実現するために光源が備える口金としてＧＸ５３型の口金やＥ２６型の口金等が知られている。
【０００５】
ユニバーサル組立を備える照明装置で、光源が回転操作されることでソケットに着脱される構成では、光源の回転操作に伴い光源の回転方向にユニバーサル組立が連れ回る場合が考えられる。
【０００６】
このような事態は光源を取付け難くする。それだけではなく、既述の連れ回りがあると、ソケットに対して光源の口金が適正に支持されない恐れがある。こうした取付け不良があると、例えば光源が点灯（発光）しない等の不都合が考えられる。
【０００７】
したがって、ユニバーサル組立を備えるとともに、このユニバーサル組立にソケットを取付け、このソケットに光源を回転操作することにより着脱可能とした構成の照明器具を開発するにあたっては、以上の不具合を改善することが要請されている。
【先行技術文献】
【特許文献】
【０００８】
【特許文献１】特許第３２７３２６７号公報
【発明の概要】
【発明が解決しようとする課題】
【０００９】
実施形態は、ユニバーサル組立に支持されたソケットに、光源を適正かつ容易に取付けることが可能な照明器具を提供することにある。
【課題を解決するための手段】
【００１０】
前記課題を解決するために、実施形態の照明器具は、器具本体と、ソケットと、光源と、ユニバーサル組立を具備する。一端が開口された器具本体内にソケットを配設し、このソケットに光源を回転操作により着脱可能に支持する。ユニバーサル組立は、ソケットを支持するソケットホルダ、及び操作部を有していて、器具本体内に配設される。ソケットホルダは、光源の向きが調節される際に、器具本体の中心軸線回りに回転可能でかつ中心軸線に斜めに交差するように傾くことが可能である。操作部は器具本体の外部から操作可能であり、ソケットに光源を取付ける際にソケットホルダが動かないように操作部で拘束可能としたことを特徴としている。
【発明の効果】
【００１１】
実施形態の照明器具によれば、ユニバーサル組立に支持されたソケットに、光源を適正かつ容易に取付けることが可能である、という効果を期待できる。
【図面の簡単な説明】
【００１２】
【図１】実施例１に係るダウンライトを示す斜視図である。
【図２】図１のダウンライトを他の方向から見て示す斜視図である。
【図３】図１のダウンライトを示す正面図である。
【図４】図１のダウンライトを示す側面図である。
【図５】図１のダウンライトを示す断面図である。
【図６】図１のダウンライトをそのユニバーサル組立まわりを分解した状態で示す斜視図である。
【図７】図１のダウンライトをその光源を外した状態で示す斜視図である。
【図８】図１のダウンライトの光源とソケットとを分離した状態で示す斜視図である。
【発明を実施するための形態】
【００１３】
実施形態１の照明器具は、一端が開口された器具本体と；この器具本体内に配設されたソケットと；このソケットに回転操作により着脱可能に支持された光源と；前記器具本体内に配設され、前記器具本体の外部から操作可能な操作部、及び前記ソケットを支持して前記器具本体の中心軸線回りに回転可能でかつ前記中心軸線に斜めに交差するように傾くことが可能なソケットホルダを有し、前記光源の向きが調節される際に可動するユニバーサル組立と；を具備することを特徴としている。
【００１４】
この実施形態１で、回転操作によりソケットに着脱可能に支持される光源とは、例えばＧＸ５３型口金又はＥ型口金を有した光源を指しており、ＧＸ５３型口金を有した光源の場合、例えば９０°以下の角度で回転されることによりソケットに着脱可能であり、Ｅ型口金を有した光源の場合、３６０°以上でかつ数回転されることによりソケットに着脱可能である。更に、光源が有する発光要素にはＬＥＤ（発光ダイオード）を好適に使用でき、ＬＥＤを有した光源をＬＥＤ光源と称することができ、従って、ＬＥＤ光源でかつＧＸ５３型口金を有した光源は、ＧＸ５３型ＬＥＤ光源と称することができる。又、ソケットには光源が有した口金の種類に適合した構成のソケットが使用される。
【００１５】
この実施形態１で、ユニバーサル組立は、そのソケットホルダを、器具本体の中心軸線回りに回転可能でかつ中心軸線に斜めに交差するように傾くことが可能な構成であれば、如何なる構成でも差し支えない。
【００１６】
この実施形態１で、ユニバーサル組立の操作部は、ユニバーサル組立をなす部材と別体で取付けられていてもよいが、前記部材と一体であることが好ましい。又、操作部の形状は特に限定されない。更に、操作部は、器具本体の開口から外方に突出されていることが好ましいが、器具本体の周壁部とユニバーサル組立との間に、操作者の指が十分に入る程度の隙間がある場合には、器具本体の開口内側すなわち器具本体外の内部に配置されていても差し支えない。操作部が操作方向に対して折れ曲がっていない場合には、操作部が目立ち難いので、器具の体裁上好ましい。操作部が操作方向に対して所定の角度で折れ曲がっている場合には、指を掛け易い点で好ましい。
【００１７】
この実施形態１は、例えばダウンライトとして好適に適用できる他、スポットライト等にも適用可能である。
【００１８】
実施形態１では、ユニバーサル組立に器具本体の外部から操作可能な操作部を設けたので、この操作部を操作者の指で保持することにより、ユニバーサル組立の不用意な可動によるソケットホルダ及びこれに支持されたソケットの回転を抑制可能である。こうした状態で、器具本体内にその開口を通して挿入された光源を回転操作してソケットに支持させる場合、光源の回転にソケットが連れ回りし難い。これにより、光源をソケットに容易に取付けることが可能となるとともに、適正に取付けることが可能である。
【００１９】
実施形態２の照明器具は、実施形態１において、前記ユニバーサル組立が、前記器具本体に支持されて前記中心軸線回りに回転可能な回転部材と、この回転部材が有する一対のアームに前記中心軸線に斜めに交差するように傾くことが可能に支持された前記ソケットホルダとを有していて、前記一対のアームのうちの少なくとも一方の先端部が、前記操作部として前記器具本体の開口より外部に突出されていることを特徴としている。
【００２０】
この実施形態２では、実施形態１において、更に、操作部が器具本体の開口より外部に突出されているので、器具本体の周壁部とユニバーサル組立との隙間に操作部が設けられた場合に比較して、前記隙間に指を挿入する面倒がなく簡単に操作部を保持できるとともに、前記隙間が狭い設計とすることが可能であるので、その場合には器具本体の外径を小さくできる利点がある。加えて、操作部が回転部材の一部で形成されているので、簡単な構成とすることが可能である。又、実施形態２で、一対のアームの夫々の先端部を操作部とした場合には、照明器具の操作者の利き手に拘らず、この利き手ではない方の片手で操作部に添えてユニバーサル組立の不用意な可動を抑制しつつ、利き手を用いて光源を取付けることが可能となるので、より作業性を向上させる上で好ましい。
【実施例１】
【００２１】
以下、実施例１の照明器具について、図１〜図８を参照して詳細に説明する。
【００２２】
図１から図５中符号１は設置箇所例えば屋内の天井等に埋め込んで設置される照明器具例えばダウンライトを示している。このダウンライト１は、器具本体２と、ユニバーサル組立５と、ソケット１１と、光源１５と、端子台収容箱２５と、一対の取付けばね３１を具備している。
【００２３】
器具本体２は例えば金属製具体的にはアルミニウム合金の深絞り製品からなる。アルミニウム合金製の器具本体２の内面は、金属地肌からなる光反射面である。そのため、器具本体２は反射体として用いられている。
【００２４】
この器具本体２は、周壁部２ａと、フランジ部２ｂと、端壁部２ｃを有している。器具本体２の一端は開口されている。この開口に向けて周壁部２ａの径は次第に広がっている。フランジ部２ｂは、前記開口を囲んで周壁部２ａの一端に連続して外側に張り出している。端壁部２ｃは、周壁部２ａの他端に連続して設けられていて、前記開口に向かい合っている。
【００２５】
周壁部２ａの直径は屋内の天井に開口された例えば直径１２５ｍｍの器具取付け孔より小さく、フランジ部２ｂは器具取付け開口の直径より大径である。これにより、器具本体２は、そのフランジ部２ｂが屋内の天井に接するまで、フランジ部２ｂを除いて前記器具取付け開口にその下側から上向きに挿入可能である。図４及び図５に示すようにフランジ部２ｂは、その内周から外周に行くにしたがって次第に高くなるように傾斜されている。
【００２６】
器具本体２内に配設されるユニバーサル組立５は、図５〜図７に示すように例えば回転部材６とこれに対して傾き動くことが可能なソケットホルダ８とを有している。
【００２７】
回転部材６は、器具本体２に支持されてこの器具本体２の中心軸線Ａ（図５参照）回りに回転可能に器具本体２内に支持されている。即ち、回転部材６は、例えば金属の帯板を折り曲げて形成されていて、部材ベース部６ａ及びこの両端から折り曲げられた一対のアーム６ｂ，６ｃを有して，側面視略コの字形状をなしている。
【００２８】
回転部材６は、その部材ベース部６ａの中央部を端壁部２ｃの中心部に枢支部材例えば鳩目金具（図５及び図７参照）７を用いて、端壁部２ｃに取付けられている。鳩目金具７は、図６に示すように部材ベース部６ａの連結孔６ｄ及び端壁部２ｃの連結孔２ｄを貫通し、その両端部をかしめて広がるように変形させることによって設けられている。回転部材６は鳩目金具７を中心に回転可能である。これとともに、回転部材６に外力が加えられない限り、この回転部材６を静止状態に保持する摩擦力が、鳩目金具７により端壁部２ｃと部材ベース６ａとの間に与えられている。
【００２９】
一方のアーム６ｂは、周壁部２ａとは非接触でかつこの周壁部２ａに沿うように折れ曲がっていて、その先端部は器具本体２の開口近傍に達している。他方のアーム６ｃは、周壁部２ａとは非接触でかつこの周壁部２ａに沿うように折れ曲がっていて、その先端部は、ユニバーサル組立５の操作部６ｅとして用いられている。
【００３０】
好ましい例として操作部６ｅは器具本体２の開口を通って器具本体２外に突出されている。しかも、操作部６ｅはフランジ部２ｂに向けて折れ曲がっている。これにより、操作部６ｅに操作者の指をよりかけ易くしてあるとともに、操作部６ｅの端面に操作者の指が接することを抑制できるようにしてある。加えて、図３に示すように操作部６ｅは正面から見て角部が生じないように縁が面取りされていて、それにより、操作部６ｅの端面に操作者の指が接することをより一層抑制できるようにしてある。操作部６ｅとフランジ部２ｂとは非接触である。
【００３１】
ソケットホルダ８は、金属を絞り加工して得た部品であって、図５及び図７に示すように上下両端が開口された円筒部８ａの一端部に、縮径されたソケット取付け部８ｂを設けて形成されている。このソケットホルダ８は、一対のアーム６ｂ，６ｃに支持されており、器具本体２の中心軸線Ａに斜めに交差するように傾くことが可能である。
【００３２】
このようなソケットホルダ８の傾き（tilt）調節は以下の構成で実現されている。即ち、図７に示すようにアーム６ｂ，６ｃの先端側部位にこれらを貫通するリベットのような枢軸９により円筒部８ａが回動可能に連結されている。この連結により、ソケットホルダ８に外力が加えられない限り、ソケットホルダ８を静止状態に保持する摩擦力が、円筒部８ａを径方向に挟んだアーム６ｂ，６ｃと円筒部８ａとの間に与えられている。
【００３３】
更に、枢軸９の近傍に位置してピン１０がアーム６ｂ，６ｃの夫々に突設されていて、これらのピン１０が円筒部８ａの周方向に１８０°離れて形成された長孔８ｃに夫々挿入されている。そのため、ソケットホルダ８は、枢軸９を中心とする回転により器具本体２に対して傾くことが可能であり、その傾きの範囲は、長孔８ｃの端がピン１０に当たることにより規定されるようになっている。
【００３４】
以上のように構成されたユニバーサル組立５を備えたダウンライト１は、鳩目金具７を中心としてユニバーサル組立５全体が鉛直軸線（中心軸線Ａ）回りに回転可能であるとともに、枢軸９を中心としてユニバーサル組立５のソケットホルダ８が上下方向に回転して傾くことが可能である。又、ソケットホルダ８を支持した一対のアーム６ｂ，６ｃは、ソケットホルダ８と器具本体２の周壁部２ａとの間に配置されている。
【００３５】
ソケット１１はソケットホルダ８内に位置してソケット取付け部８ｂにねじ止め等により取付けられている。このソケット１１には例えばＧＸ５３型口金が着脱可能である。ソケット（ランプソケット）１１は、図６〜図８に示すように円形の中央通孔１２の周りに１８０°離れて保持孔１３を設けるとともに、これら保持孔１３に接近する接片１４を裏面に取付けて形成されている。保持孔１３は、広幅孔部と狭幅孔部とが連続してなる略だるま形状に形成されている。
【００３６】
図５に示すように光源１５は、発光部１６、この厚み方向一端に連結された例えばＧＸ５３型の口金１７、及び透光性のグローブ１８等を備えたランプである。
【００３７】
発光部１６は、モジュール基板１９に複数の発光体例えばＬＥＤ２０を実装してなる。これにより、発光部１６はＬＥＤ発光モジュールをなしているので、これを備えた光源１５はＬＥＤ光源である。なお、ＬＥＤ２０には、例えば電極が設けられたベース上にＬＥＤチップを実装するとともに、このＬＥＤチップを収容する円錐台状の凹部を有した反射体を接着し、凹部に蛍光体入りの透光性封止樹脂を充填してなるＬＥＤパッケージが用いられている。このＬＥＤパッケージにおいて、青色発光をするＬＥＤチップを用いているので、照明光を白色にするために黄色の蛍光体が用いられている。発光部１６はグローブ１８で覆われている。
【００３８】
なお、ＬＥＤの発光は、半導体のｐ−ｎ接合に順方向電流を流すことで実現されるので、ＬＥＤは電気エネルギーを直接光に変換する固体素子である。こうした発光原理で発光する半導体発光素子は、通電によりフィラメントを高温に白熱させて、その熱放射により可視光を放射させる白熱電球と比較して、省エネルギー効果を有するものである。
【００３９】
発光中の発光部１６の熱が伝導される口金１７は、前記中央通孔１２に挿入される短い円柱状の中央凸部２１、及びこの周囲に設けられた一対の口金ピン（ランプピン）２２を有している。これら口金ピン２２は、互いの中心間距離が光源１５の径方向に５３ｍｍ離れているとともに、周方向に１８０°離れて配設されている。口金ピン２２の先端部は大径であり、その直径は、保持孔１３の広幅孔部の幅より小さいとともに保持孔１３の狭幅孔部の幅より大きい。更に、口金ピン２２の先端部に連続した軸部は、前記先端部より小径であるとともに、保持孔１３の広幅孔部及び狭幅孔部の幅より小径である。
【００４０】
光源（ランプ）１５の最大径は例えば９０ｍｍである。この光源１５は、回転操作によりソケット１１に着脱可能に支持されている。
【００４１】
即ち、一対の口金ピン２２の大径な先端部を、一対の保持孔１３の広幅孔部に挿入した上で、口金ピン２２が保持孔１３の狭幅孔部に進むように光源１５を回転させるに伴い、ソケット１１の裏側で、保持孔１３の狭幅孔部の相対向する孔縁部にわたって口金ピン２２の先端部を引掛けることによって、ソケット１１に光源１５を支持できる。又、この支持状態から、口金ピン２２が保持孔１３の狭幅孔部から広幅孔部に進むように光源１５を回転させ、この後に光源１５をソケット１１から離れるように引き動かして、口金ピン２２の大径な先端部を保持孔１３の広幅孔部から抜くことによって、光源１５をソケット１１から離脱させることができる。
【００４２】
ソケット１１に光源１５が支持された状態で、口金ピン２２の先端部の周面は接片１４を撓ませてこれに密接されている。それにより、口金１７と光源１５とが電気的に接続されるようになっている。又、ソケット１１に光源１５が支持された状態で、発光部１６を覆ったグローブ１８の先端部は、図４及び図５に示すように器具本体２の開口を通って外部に突出されている。更に、器具本体２外に位置されたグローブ１８の先端部に対して操作部６ｅは器具本体２の開口に寄せて配置されており、したがって、図４及び図５ではグローブ１８の下面より上側に配置されている。
【００４３】
端子台収容箱２５は、不燃材である金属製の箱ベース２６に箱カバー２７をねじ止めして形成されている。箱ベース２６は器具本体２の端壁部２ｃの外面にねじ止めされている。この箱ベース２６の上面にねじ止めされ、この端子台収容箱２５に端子台２８が内蔵されている。この端子台２８には、天井裏に配線されて箱カバー２７を貫通する図示しない電源線が接続されるとともに、箱ベース２６及び端壁部２ｃを通ってソケット１１の接片１４に至る絶縁被覆電線が接続される。
【００４４】
一対の取付けばね３１は端子台収容箱２５の外面に固定されている。これら取付けばね３１は、金属ばね板を折り曲げてなり、第１曲げ部３２を境に根元板部３１ａと押さえ板部３１ｂを有しているとともに、押さえ板部３１ｂに第２曲げ部３３が形成されている。
【００４５】
屋内の天井にダウンライト１を埋め込んだ状態に設置する場合、押さえ板部３１ｂが根元板部３１ａに近付くように取付けばね３１を弾性変形させた状態で、端子台収容箱２５を先頭にして天井の器具取付け開口にダウンライト１を上向きに挿入すればよい。この挿入の完了に伴い取付けばね３１は元の状態に復元しようとする。それにより、天井板がフランジ部２ｂと第１曲げ部３２とで上下から挟まれるとともに、第２曲げ部３３が天井板の裏面（上面）に更に接して、ダウンライト１が天井に埋め込み設置される。
【００４６】
以上のように天井にダウンライト１が設置された状態で、ソケット１１に光源１５を取付けるには、まず、器具本体２外に突出されている操作部６ｅに操作者の片手を添える。具体的には操作部６ｅを押さえる。次に、この状態で、光源１５を、ユニバーサル組立５のソケットホルダ８内に挿入するとともに、既に説明した手順により所定角度回転操作して、この光源１５の口金１７をソケット１１に取付ける。
【００４７】
この場合、光源１５の回転操作に伴い、ソケット１１を介してこれが取付けられたユニバーサル組立５に器具本体２の中心軸線Ａ回りの回転力が波及する。しかし、操作部６ｅが人為的に押えられていることにより、ユニバーサル組立５が光源１５の回転操作に伴い連れ回りすることが抑制され、ユニバーサル組立５及びソケット１１が不用意に動かないように保持される。
【００４８】
このため、天井側での高所作業であるにも拘らず、ソケット１１に対して光源１５を容易に取付けることができる。これとともに、ソケット１１に対して光源１５が適正に回転されるに伴い、口金ピン２２の先端部が接片１４を確実に弾性変形させてこれに接した状態に光源１５を取付けることが可能である。即ち、光源１５の取付け不良が抑制されて、光源１５をソケット１１に適正に装着可能であるため、光源１５の取付け不良に起因する発光不良や取付け操作後に作用する振動等で光源１５が落下する恐れがないように光源１５をソケット１１に支持することが可能である。
【００４９】
同様に、器具本体２外に光源１５を取出す場合にも、操作部６ｅに手を添えてユニバーサル組立５及びソケット１１が不用意に動かないように保持した状態で、光源１５を外す方向に回転操作できるので、容易に光源１５をソケット１１から外して器具本体２外に取出すことが可能である。
【００５０】
ダウンライト１は、ユニバーサル組立５に光源１５を支持しているので、器具本体２の中心軸線Ａ回りに光源１５を回転させることができる。これとともに、光源１５の周部を押込んで押上げることにより、光源１５を中心軸線Ａに交叉するように傾けることができる。それにより、光の照射方向等を調節可能である。
【００５１】
ところで、前記構成のダウンライト１において、器具本体２の内周と光源１５の外周との間の隙間が、そこに操作者の指を差し入れて光源１５の周面を掴んでこの光源１５を回転させる程度に広くない場合には、中心軸線Ａ回りに光源１５を回転させる際、器具本体２外に突出された光源１５の先端部を掴んで操作することになる。このとき、光源１５の回転操作方向が、保持孔１３の狭幅孔部から広幅孔部に向かう方向に一致する場合、口金１７とソケット１１との接続が解除されて光源１５が外れる恐れが考えられる。
【００５２】
しかし、ユニバーサル組立５は器具本体２の外に突出された操作部６ｅを有しているので、この操作部６ｅを器具本体２の周方向に押すことによって、ユニバーサル組立５を中心軸線Ａ回りに動かすことができる。これにより、ソケット１１とこれに支持された光源との相対位置を変えることなく、光源１５を中心軸線Ａ回りに回転させることができる。したがって、こうした光源１５の回転調節に伴い、口金１７とソケット１１との接続が解除されて光源１５が外れないようにすることが可能である。
【００５３】
なお、実施例１においてアーム６ｂ，６ｃの夫々先端部を操作部６ｅとして実施することも可能である。
【００５４】
更に、実施形態は、ＧＸ５３型口金に代えてＥ型口金を備えた光源を用いるとともに、ＧＸ５３型口金用のソケットに代えてＥ型口金用のソケットを用いた照明器具とすることもできる。この場合、Ｅ型口金がＥ型口金用のソケットにねじ込まれるので、既述のようにユニバーサル組立の操作部でこのユニバーサル組立の不用意な可動を抑えた状態で、光源をソケットにねじ込み或いはねじ戻して、光源を着脱することが可能である。したがって、光源の着脱操作が容易であるとともに、口金とソケットとの間での接点不良を生じることなく確実に光源をソケットに取付けることが可能である。
【符号の説明】
【００５５】
１…ダウンライト（照明器具）、２…器具本体、５…ユニバーサル組立、６…回転部材、６ｂ，６ｃ…アーム、６ｄ…操作部、Ａ…中心軸線、８…ソケットホルダ、１１…ソケット、１５…光源、１７…口金
【図１】
2012124058.tif 000003
【図２】
2012124058.tif 000004
【図３】
2012124058.tif 000005
【図４】
2012124058.tif 000006
【図５】
2012124058.tif 000007
【図６】
2012124058.tif 000008
【図７】
2012124058.tif 000009
【図８】
2012124058.tif 000010